(57)【要約】【課題】毛髪処理に必要な量の毛髪処理剤をシートと一体化させ、毛髪処理剤を漏出せず確実に保持し、巻き上げた毛髪束に対して十分な量の毛髪処理剤を均一に供給し得ると共に、毛髪処理剤を、頭髪の処理をしたい部分のみに付与し、毛髪処理剤で処理したくない部分には付与せず、毛髪処理剤で衣類を汚さず、毛髪挿入のやり直しができる毛髪保持具及び該毛髪保持具を用いた毛髪処理方法を提供すること。【解決手段】本発明の毛髪保持具１は、毛髪束を所定の形状に保持する一又は二以上の毛髪保持シート３Ａ、３Ｂにより構成され、少なくとも一つの該毛髪保持シート３Ａの一面に、毛髪処理剤６の封入された剤封入部２が複数個設けられている。毛髪保持具１は、毛髪保持シート３Ａ、３Ｂにより扁平筒状体１Ａが形成されており、該扁平筒状体１Ａの内部には、毛髪束を挿通可能な空隙部１２が形成され、剤封入部２が配置されている。【選択図】図１
2006187541.tif 000002
【特許請求の範囲】
【請求項１】
毛髪束を所定の形状に保持する一又は二以上の毛髪保持シートにより構成され、少なくとも一つの該毛髪保持シートの一面に、毛髪処理剤の封入された剤封入部が複数個設けられていることを特徴とする毛髪保持具。
【請求項２】
前記毛髪保持シートにより扁平筒状体が形成されており、該扁平筒状体の内部には、毛髪束を挿通可能な空隙部が形成され、前記剤封入部が配置されている請求項１記載の毛髪保持具。
【請求項３】
前記剤封入部は、前記毛髪保持シートとは別体の剤封入袋体から形成されている請求項１又は２に記載の毛髪保持具。
【請求項４】
前記剤封入部は、厚さ方向に凹んだ剤封入凹部を複数個有する封入部形成シートにおける該剤封入凹部と、前記毛髪保持シートの前記一面とから形成されている請求項１又は２に記載の毛髪保持具。
【請求項５】
請求項１記載の毛髪保持具を用いて毛髪束を巻き上げて毛髪処理を行う毛髪処理方法であって、
毛髪束を前記毛髪保持具に配置又は挿通した後、毛髪束の巻き上げ前、巻き上げ時又は巻き上げ後に前記剤封入部に外力を加えることにより、該剤封入部を破断させてその内部の前記毛髪処理剤を外部に排出し、排出された該毛髪処理剤を毛髪束に供給する毛髪処理方法。
【発明の詳細な説明】
【技術分野】
【０００１】
本発明は、毛髪束を所定の形状に保持するための補助具として用いられる毛髪保持具及び該毛髪保持具を用いた毛髪処理方法に関する。
【背景技術】
【０００２】
従来より、毛髪にパーマ等を施してカール等を付与する際に用いられる毛髪保持具として、例えば特許文献１に示されたコールドパーマネント具が知られている。この毛髪保持具は、ロッドに巻き付けた毛髪束を保持する一対の半円筒を備え、この内部に、海綿様吸液物質を設けて浸液部を構成したものであり、その浸液部にパーマ液を含浸させることにより、パーマ液が外部に漏れるのを防止するようにしている。
【０００３】
近年、ロッドを用いずに、毛髪束の取り扱いを容易にした毛髪保持具が開発されている。例えば、特許文献２に示された毛髪保持具は、筒状体内に毛髪束を取り込んだ状態でその筒状体を変形させることにより、毛髪束の巻回状態を保持するようにしたものである。
しかし、この毛髪保持具は、これ自体を手で巻回する必要があるため、依然として手間がかかるという問題があった。
このような問題を解決するため、特許文献３及び４に示された毛髪保持具は、毛髪束を挿通可能にした筒状体に、巻き上げ用糸を例えばスパイラル状等に巻き付けたものであり、その巻き上げ用糸を引っ張ることにより、毛髪束を筒状体と共に巻き上げるようにしている。
【０００４】
また、染毛用具としては、例えば特許文献５に示されているように、薬剤を含浸させたフェルトを有する半割型筒状体内に髪の毛を入れる用具が知られている。
【０００５】
【特許文献１】実公昭３０−１０６５６号公報
【特許文献２】特開平１０−１９２０３６号公報
【特許文献３】特開２００３−９３１３３号公報
【特許文献４】国際公開第０３／００７７５２号パンフレット
【特許文献５】特開平１１-１２７９４２号公報
【発明の開示】
【発明が解決しようとする課題】
【０００６】
ところで、筒状体等に挿入した毛髪束を巻き上げるタイプの毛髪保持具においては、処理前又は処理中に毛髪処理剤が垂れずにそれを確実に保持し、毛髪束を巻き上げた際又はその後に、十分な量の毛髪処理剤を毛髪束に均一に供給することが望まれている。
しかしながら、例えば上記特許文献３の毛髪保持具においては、通常、毛髪束と共に巻き上げた筒状体に毛髪処理剤を滴下し、その毛髪処理剤を、筒状体の側面を形成している不織布を通して毛髪束に浸すようにしているため、この際、毛髪処理剤が垂れてしまい、毛髪処理に必要な毛髪処理剤を保持できず、特に、巻き上げた毛髪束に毛髪処理剤を均一に供給することができなかった。この問題点は、大量の毛髪処理剤を毛髪束に供給する必要がある場合に特に顕著であった。
また、毛髪処理剤は、処理をしたい毛髪束（筒状体等に挿入された頭髪部分）のみに付与することが望ましく、毛髪処理剤で処理したくない頭髪部分には付与せず、毛髪処理剤で衣類を汚すことなく、毛髪挿入のやり直しができる毛髪保持具が望まれていた。
【０００７】
従って、本発明の目的は、毛髪処理に必要な量の毛髪処理剤をシートと一体化させ、毛髪処理剤を漏出せず確実に保持し、巻き上げた毛髪束に対して十分な量の毛髪処理剤を均一に供給し得ると共に、毛髪処理剤を、頭髪の処理をしたい部分のみに付与し、毛髪処理剤で処理したくない部分には付与せず、毛髪処理剤で衣類を汚さず、毛髪挿入のやり直しができる毛髪保持具及び該毛髪保持具を用いた毛髪処理方法を提供することにある。
【課題を解決するための手段】
【０００８】
発明者等は、シートの一面に毛髪処理剤の封入された剤封入部を設けておき、このシートを毛髪保持シートとすれば、毛髪に毛髪処理剤を付与する前に、毛髪処理剤の漏出を防止すると共に、必要な量の毛髪処理剤を毛髪束に均一に供給することが可能になることを知見した。
【０００９】
本発明は、上記知見に基づいてなされたものであり、毛髪束を所定の形状に保持する一又は二以上の毛髪保持シートにより構成され、少なくとも一つの該毛髪保持シートの一面に、毛髪処理剤の封入された剤封入部が複数個設けられていることを特徴とする毛髪保持具を提供することにより前記目的を達成したものである。
【００１０】
また、本発明は、前記毛髪保持具を用いて毛髪束を巻き上げて毛髪処理を行う毛髪処理方法であって、毛髪束を前記毛髪保持具に配置又は挿通した後、毛髪束の巻き上げ前、巻き上げ時又は巻き上げ後に前記剤封入部に外力を加えることにより、該剤封入部を破断させてその内部の前記毛髪処理剤を外部に排出し、排出された該毛髪処理剤を毛髪束に供給する毛髪処理方法を提供するものである。
【００１１】
本出願において「巻き上げ」とは、毛髪束に所定のくせ付けをすること全般を意味し、例えば湾曲（スパイラル状の巻き上げ）や屈曲（ジグザグ状の巻き上げ）等も包含される。
【発明の効果】
【００１２】
本発明によれば、毛髪処理に必要な量の毛髪処理剤をシートと一体化させ、毛髪処理剤を漏出せず確実に保持すると共に、巻き上げた毛髪束に対して十分な量の毛髪処理剤を均一に供給することができる。そのため、取り扱いが容易であると共に、操作が簡便である。また、毛髪処理剤を、頭髪の処理をしたい部分のみに付与し、毛髪処理剤で処理したくない部分には付与せず、毛髪処理剤で衣類を汚さず、毛髪挿入のやり直しができる。
【発明を実施するための最良の形態】
【００１３】
以下、本発明の毛髪保持具の好ましい一実施形態（第１実施形態）を図面を参照して詳細に説明する。
図１（ａ）及び図１（ｂ）に示すように、本実施形態の毛髪保持具１は、毛髪束９〔図３（ｄ）参照〕を所定の形状に保持する二枚の毛髪保持シート３（３Ａ、３Ｂ）により構成され、一つの該毛髪保持シート３（３Ａ）の一面に、毛髪処理剤６の封入された剤封入部２が複数個設けられている。
【００１４】
まず、本実施形態における毛髪保持具１の具体的構成を述べる。
図１（ａ）及び図１（ｂ）に示すように、本実施形態の毛髪保持具１においては、２枚の毛髪保持シート３（３Ａ、３Ｂ）により扁平筒状体１Ａが形成されている。扁平筒状体１Ａは、２枚の毛髪保持シート３Ａ、３Ｂの両側縁部１１、１１がヒートシールされることにより、一端１Ｂ及び他端１Ｃが開口して形成されている。扁平筒状体１Ａの内部には、毛髪束９を挿通可能な空隙部１２が形成され、剤封入部２が配置されている。扁平筒状体１Ａは、空隙部１２内の毛髪束９を巻き上げて所定の形状に保持するように構成されている。
尚、毛髪保持シート「３」の表現は、二枚の毛髪保持シートに共通する内容を説明する場合に用い、毛髪保持シート「３Ａ」、「３Ｂ」の表現は、二枚の毛髪保持シートで異なる内容を説明する場合に用いる。
【００１５】
毛髪保持シート３を構成する材料としては、例えば、不織布、織布、フィルム等の材料を用いることができる。これらのうち、柔軟性、生産性等の面から、フィルムを用いるのが好ましい。
また、毛髪保持シート３は、毛髪処理剤が染毛剤の場合、毛髪処理剤に対して透過困難なシート（以下、不透過性のシートという）であることが好ましい。このような不透過性のシートであると、扁平筒状体１Ａの内部において毛髪束に毛髪処理剤が供給された際に、毛髪処理剤が扁平筒状体１Ａの外面に漏出することがなく、毛髪処理剤が施術者や被施術者に付着し難い。不透過性のシートは、その全体が不透過性のシートから形成されていてもよく、不透過性のシートと毛髪処理剤を透過しやすいシートとの積層シートから形成されていてもよい。
本実施形態においては、毛髪保持シート３として、不透過性のシートであるポリエチレンフィルムを用いている。
【００１６】
毛髪保持シート３のテーバー硬さは、０．２ｍＮ・ｍ以上、２０ｍＮ・ｍ以下の範囲内であることが好ましい。テーバー硬さがこの数値の範囲内にあれば、巻き上げる際の円滑な操作性や巻き上げ時に中芯を必要とせずに毛髪束の形状の保持性を担保することができる。
テーバー硬さは、厚さ、坪量、原料（繊維）、添加物等の諸要因に起因し、このようなテーバー硬さを発現させるのに好ましい材料としては、例えば、ポリエチレン、ポリプロピレン、ポリエチレンテレフタレート、ナイロン樹脂、またはそれらの複合物等がある。
「テーバー硬さ」は、シートのこわさを意味し、ＪＩＳ  Ｐ  ８１２５に従い、テーバーこわさ試験器により、シートを一定の角度に曲げるのに必要な力を測定した値で示す。
【００１７】
次に、剤封入部２の詳細を説明する。
本実施形態においては、図１（ａ）、図１（ｂ）及び図２に示すように、一方の毛髪保持シート３Ａの一面に、毛髪処理剤６の封入された剤封入部２が複数個設けられている。詳細には、剤封入部２は、一方の毛髪保持シート３Ａにおける、扁平筒状体１Ａの内面となる面の幅方向中央部に、長手方向に等ピッチで４個設けられている。
【００１８】
本実施形態における剤封入部２は、毛髪保持シート３とは別体の剤封入袋体７から形成されている。剤封入袋体７は、図１（ｂ）及び図２に示すように、基材シート７１に、厚さ方向に凹んだ剤封入凹部７３を有する凹状フィルム７２が接合（シール）されて形成されている。
【００１９】
基材シート７１は、図１（ｂ）及び図２に示すように、剤封入袋体７の基材となるシートで、その正面視形状（毛髪保持具の厚さ方向に視た形状）は、四隅が丸みを帯びた略矩形状となっている。基材シート７１としては、凹状フィルム７２に接合されて剤封入袋体７を形成できるものであれば種々のものを用いることができ、例えば、ポリエチレン、ポリプロピレン、ナイロン、ポリエチレンテレフタレート等の各種樹脂フィルム又はその積層体や、前記の樹脂フィルムに無機材料を蒸着させたもの等を用いることができる。基材シート７１の厚さは、好ましくは３０μｍ〜３００μｍである。本実施形態においては、基材シート７１としてシリカ蒸着／ポリエチレン／エチレンビニルアセテートの層構成のフィルム（厚さ：１００μｍ）を用いている。
【００２０】
凹状フィルム７２は、図１（ｂ）及び図２に示すように、基材シート７１に部分的に接合されて剤封入袋体７を形成するもので、その正面視形状は、基材シート７１の正面視形状と同じになっている。凹状フィルム７２は、平面視における中央部に、厚さ方向に凹んだ剤封入凹部７３が形成されている。
剤封入凹部７３の周囲の部分（凹状フィルム７２における剤封入凹部７３以外の部分）は、枠状で平面状の枠状平面部７４となっている。
【００２１】
剤封入凹部７３には、図２に示すように、毛髪保持シート３Ａの長手方向に離間する一組の対辺７５における中央部それぞれに、毛髪保持シート３Ａの長手方向に膨出する膨出部７６が形成されている。
膨出部７６は、毛髪保持具１の巻き上げ方向に膨出するように設けられていることが好ましい。膨出部７６がこのように設けられていると、枠状平面部７４に幅の狭い領域ができることでその領域のシール強度が弱くなると共に、膨出部７６において応力が集中し易くなる。そのため、剤封入部２に外力を加えたときに、剤封入部２が膨出部７６で破断し易くなり、破断箇所が一定となり、毛髪処理剤６の供給位置を安定化させる上で好ましい。
【００２２】
凹状フィルム７２としては、基材シート７１に接合されて剤封入袋体７を形成できるものであれば種々のものを用いることができ、例えば、ポリエチレン、ポリプロピレン、ナイロン、ポリエチレンテレフタレート等の各種樹脂フィルム又はその積層体や、前記の樹脂フィルムに無機材料を蒸着させたもの等を用いることができる。凹状フィルム７２の厚さは、好ましくは３０μｍ〜５００μｍである。
本実施形態においては、凹状フィルム７２としてポリエチレン／エチレンビニルアルコール／ポリエチレン／エチレンビニルアセテートの層構成のフィルム（厚さ：１５０μｍ）を用いている。
凹状フィルム７２は、例えば、剤封入凹部７３の形状を有する金型を用いた真空成型により形成することができる。
【００２３】
剤封入袋体７は、図１（ｂ）及び図２に示すように、基材シート７１における凹状フィルム７２が設けられていない側の面を、一方の毛髪保持シート３Ａの内面に当接させて接合されている。
剤封入袋体７と毛髪保持シート３Ａとの接合手段には特に制限はないが、例えば、接着剤、熱融着を用いることができる。
【００２４】
剤封入部２を形成する材料（本実施形態においては、基材シート７１、凹状フィルム７２）は、毛髪処理剤の保持性を確保する上で、酸素バリア性が１００ｃｃ／（ｍ2・ｄａｙ），１ａｔｍ以下であるものが好ましく、また、水蒸気バリア性が１００ｇ／（ｍ2・ｄａｙ）以下であるものが好ましい。
【００２５】
剤封入袋体７には、毛髪処理剤６が封入されている。詳細には、剤封入袋体７は、基材シート７１と凹状フィルム７２における枠状平面部７４とが接合されており、剤封入凹部７３の内部に毛髪処理剤６が封入されている。
剤封入袋体７においては、基材シート７１又は凹状フィルム７２を押圧すると、この押圧力により基材シート７１と凹状フィルム７２とのシール部を剥離する力が加わる。その結果、基材シート７１と凹状フィルム７２とのシール部が剥離して剤封入袋体７の内部と外部とが連通するようになっている。
剤封入袋体７が破壊されて毛髪処理剤６が漏出されるときの破壊強度は、剤封入袋体一個あたりの加圧破壊強度として、好ましくは、０．５Ｎ〜１０Ｎである。
【００２６】
剤封入部２（本実施形態においては、剤封入袋体７）の個数、容積、ピッチ等は、必要とされる毛髪処理剤６の量及び種類、使用時における剤封入部２を破断するタイミング、剤封入部２の破断に要する外力の大きさ等により適宜設定されるが、例えば、剤封入部２の個数は、１個の毛髪保持具あたり２個〜３０個、剤封入部２の容積は、１ｍｌ〜１０ｍｌ（ミリリットル）、剤封入部２のピッチは、２ｃｍ〜１０ｃｍの範囲で設定される。
【００２７】
毛髪処理剤６は、通常の毛髪処理に用いられるものであれば特に限定されず、例えば、パーマ剤（１浴式）、トリートメント剤、スタイリング剤、染色剤等である。毛髪処理剤６が毛細管力や拡散力により移行しやすくなる観点から、毛髪処理剤６の粘度は、小さい方が好ましく、具体的には、２００ｍＰａ・ｓ以下であることが好ましい。
また、１浴式パーマ剤など、巻き上げた状態で水洗が必要な毛髪処理剤と用いられる毛髪保持具の場合には、毛髪保持シートのどちらか一方を毛髪処理剤の透過性材料で形成することも可能である。
【００２８】
本実施形態の毛髪保持具１の一使用態様として、本発明の毛髪処理方法の一実施態様を、図３（ａ）〜図３（ｄ）を参照して説明する。
図３（ａ）〜図３（ｄ）に示すように、本実施態様の毛髪処理方法は、図１（ａ）に示す毛髪保持具１を用いて毛髪束９を巻き上げて毛髪処理を行う毛髪処理方法であって、毛髪束９を毛髪保持具１に挿通した後、毛髪束９の巻き上げ後に剤封入部２に外力を加えることにより、剤封入部２を破断させてその内部の毛髪処理剤６を外部に排出し、排出された毛髪処理剤６を毛髪束９に供給するものである。
【００２９】
本実施態様の毛髪処理方法の具体的態様を述べる。
まず、図３（ａ）に示すように、毛髪束９を、扁平筒状体１Ａの一端１Ｂの開口部から空隙部１２〔図１（ｂ）参照〕に挿通し、他端１Ｃの開口部から露出させる。この際、毛髪挿入具（毛髪束を扁平筒状体内に導入するように構成された補助具。図示しない）を用いて、毛髪束９を空隙部１２に導入してもよい。毛髪束９は、必ずしも扁平筒状体１Ａの他端１Ｃの開口部から露出させる必要はない。
【００３０】
次いで、図３（ｂ）〜図３（ｄ）に示すように、扁平筒状体１Ａを、剤封入部２（剤封入袋体７）の設けられた毛髪保持シート３Ａを外側にして毛髪束９と共に巻き上げる。本実施態様においては、毛髪束９の巻き上げ前には、剤封入部２にほとんど外力を加えないため、剤封入部２は破断しない。巻き上げ中又は巻き上げ後に、剤封入部２に外力を加えて破断することを考慮すると、中芯（ロッド。図示しない）を用いて巻き上げることが好ましい。
【００３１】
そして、図３（ｄ）に示すように毛髪束９を巻き上げた後、剤封入部２に外力を加える。剤封入部２への外力の加え方には特に制限はないが、例えば、巻き上げられた扁平筒状体１Ａを指で押し潰したり、手の平で握り潰す方法が挙げられる。
その結果、剤封入部２（剤封入袋体７）の内部の毛髪処理剤６は、剤封入凹部７３の正面視形状（図２参照）に起因して、主として膨出部７６に向けて流動し、応力集中が生じる。そして、膨出部７６に流動した毛髪処理剤６による押圧力により、基材シート７１と凹状フィルム７２の枠状平面部７４とのシール部における、幅が狭くシール強度の弱い領域が剥離する形で、剤封入部２が破断する。
更に、剤封入部２の内部の毛髪処理剤６が外部に排出され、毛髪処理剤６が扁平筒状体１Ａの空隙部１２を挿通している毛髪束９に供給される。
【００３２】
この状態で所定時間（例えば約１５分間）放置し、毛髪処理剤６を毛髪束９に均一に浸す。
その後、軽くすすいだ後、所定時間（例えば約１５分間）放置してから、すべての毛髪保持具１を取り外し、毛髪を完全にすすぐ。
【００３３】
以上述べたように、本実施形態及び本実施態様によれば、毛髪保持シート３Ａの一面に、毛髪処理剤６の封入された剤封入部２が複数個設けられているため、毛髪処理剤６の漏出を防止して毛髪処理に必要な量の毛髪処理剤６を十分に保持できると共に、巻き上げた毛髪束９に対して十分な量の毛髪処理剤６を円滑に毛髪束９に移行させて均一に供給できる。
【００３４】
特に、毛髪処理剤６が剤封入部２に封入されているため、剤封入部２に明確に外力を加えない限り、毛髪処理剤６を確実に保持することができる一方で、剤封入部２に明確に外力を加えることにより、毛髪処理剤６を供給したいタイミングで毛髪処理剤６を毛髪束９に供給することができる。
また、剤封入部２が毛髪保持シート３の長手方向に複数個設けられているため、毛髪処理剤６を毛髪束９の長さ方向に亘って均一に供給することができる。
また、毛髪処理剤を供給しない段階での、毛髪挿入のやり直しも可能である。
【００３５】
本実施形態においては、剤封入部２である剤封入袋体７に膨出部７６が設けられているため、膨出部７６により、シール部のシール強度を部分的に弱くしていると共に、応力集中が生じ易くなっている。そのため、剤封入部２の破断箇所が一定となり、毛髪処理剤６の供給位置を安定化させることができる。
【００３６】
次に、本発明の毛髪保持具の他の実施形態（第２実施形態）を、主に、上記第１実施形態と異なる点について、図面を参照して詳細に説明する。第１実施形態と同じ点につては、同じ符号を付し、説明を省略する。
第２実施形態の毛髪保持具１は、図４（ａ）及び図４（ｂ）に示すように、第１実施形態の毛髪保持具に比して、剤封入部２を、毛髪保持シート３とは別体の剤封入袋体７からは形成せず、それに代えて、厚さ方向に凹んだ剤封入凹部８２を複数個有する封入部形成シート８における該剤封入凹部８２と、毛髪保持シート３Ａの一面とから形成したものである。
【００３７】
封入部形成シート８は、図４（ｂ）及び図５に示すように、一方の毛髪保持シート３Ａの内面に設けられ、剤封入部２を形成するものである。封入部形成シート８の長さは、一方の毛髪保持シート３Ａの長さと同じになっており、封入部形成シート８の幅は、一方の毛髪保持シート３Ａの幅よりも、扁平筒状体１Ａにおける接合された両側縁部１１，１１の分だけ狭くなっている。
封入部形成シート８は、厚さ方向に凹んだ剤封入凹部８２を４個有している。封入部形成シート８における剤封入凹部８２以外の部分は、平面シート状の平面部８１となっている。剤封入凹部８２は、略直方体形状を有し、長手方向に等ピッチで設けられている。
封入部形成シート８は、例えば、ブリスター成形等の加熱成形により形成することができる。
【００３８】
第２実施形態の毛髪保持具１（扁平筒状体１Ａ）は、例えば、次のように製造することができる。
封入部形成シート８の剤封入凹部８２に毛髪処理剤６を入れる。その状態で、封入部形成シート８の平面部８１に一方の毛髪保持シート３Ａをラミネート接合して封止する。その結果、一面に複数個の剤封入部２を備えた一方の毛髪保持シート３Ａが得られる。換言すると、第２実施形態においては、封入部形成シート８と一方の毛髪保持シート３Ａとで毛髪処理剤６をブリスター包装し、複数個の剤封入部２を形成している。
【００３９】
更に、一方の毛髪保持シート３Ａに、剤封入部２が内側になるように、他方の毛髪保持シート３Ｂをそれらの両側縁部１１でヒートシールする。このようにして、第２実施形態の毛髪保持具１（扁平筒状体１Ａ）が得られる。
剤封入部２の個数、容積、ピッチの好ましい範囲は、第１実施形態におけるそれらの好ましい範囲と同じである。
【００４０】
第２実施形態における作用効果は、上記第１実施形態と同様であるが、剤封入部２を破断させてその内部の毛髪処理剤６を排出させる構造が第１実施形態とは異なる。その点について以下に説明する。
即ち、第２実施形態においては、第１実施形態のようにシール強度を部分的に弱くしたり、応力集中を利用して剤封入部２を破断させるのではなく、剤封入部２を形成する封入部形成シート８における剤封入凹部８２自体を脆く、割れ易い材料から形成することにより、剤封入部２を破断させる構造としている。このような割れ易い材料としては、ポリスチレン、ポリアクリル、ポリエチレン等が挙げられる。
本実施形態においては、封入部形成シート８としてポリスチレン（厚さ：２００μｍ）を用いている。
剤封入凹部８２に直線状又は曲線状の溝を形成しておくことにより、その割れ易さを向上させることもできる。
【００４１】
本発明は、上記第１、第２実施形態に限られることなく、種々の変更等を行うことがでる。
本発明の毛髪保持具を形成する筒状体は、扁平状のものに制限されず、例えば断面略円形のものでもよい。筒状体は、二枚の毛髪保持シートの両側縁部が接合されて形成されるものに制限されず、一枚の毛髪保持シートを幅方向中央部で折り返して形成されるものでもよい。三枚以上の毛髪保持シートから形成することもできる。
【００４２】
また、本発明の毛髪保持具は、筒状体からなるものに制限されず、その全体をシート状（非筒状）した形態でもよい。このような全体がシート状の形態の毛髪保持具は、構造が簡素であり、トリートメント剤のように衣服や作業者等への付着がさほど問題にならないような使用態様で好ましく使用される。そして、毛髪保持シートの剤封入部が設けられた側に毛髪束を配置し、その状態で毛髪束を内側にして毛髪保持シートを巻き上げることができる。この場合には、濡れた毛髪束の方がまとまり易く、取り扱いが容易である。
【００４３】
剤封入部を破断させ易くする構造及び破断させ易い操作としては特に制限はなく、例えば、以下の構造及び操作が挙げられる。
［１］剤封入部を変形による圧力で破断させる。
（Ａ）剤封入部のシール部のシール強度を弱くする。シール強度を部分的に弱くすると、この弱い部分から毛髪処理剤が安定して排出されるようになり、好ましい（上記第１実施形態における剤封入袋体７の部分的に幅の狭くなったシール部の構造）。
（Ｂ）剤封入部を応力集中が起こり易い構造とする（上記第１実施形態における剤封入袋体７の膨出部７６の構造）。
（Ｃ）剤封入部を破断強度の弱い材料から形成する。
【００４４】
［２］剤封入部を直接（変形による圧力を利用せずに）破断させる。
（Ａ）剤封入部を、扁平筒状体１Ａの変形に伴う応力を利用して破断する。
（Ｂ）剤封入部を、ポリエチレン（ＰＥ）等の薄くて弱い材料から形成し、鋭利なもの（刃、針等）で傷を付けて破断する。
（Ｃ）剤封入部に蓋を設け、蓋を外すことで剤封入部を破断する。
【００４５】
剤封入部を、扁平筒状体を構成する二枚の毛髪保持シートの両方または片方の内面に設けることができるが、外面に設けることもできる。
剤封入部の配置位置は、毛髪保持シートの長手方向に等ピッチに配置した位置に制限されない。例えば、一方の毛髪保持シートの一面にジグザグ状又はランダムに配置することができる。
【００４６】
第１実施形態における剤封入袋体は、毛髪処理剤をパウチ包装することにより形成することもできる。
筒状体は、毛髪束を所定の形状に巻き上げ保持するための巻き上げ用糸が巻き付けられた構成とすることもできる。
【００４７】
剤封入部を破断してその内部の毛髪処理剤を外部に排出するタイミングは、毛髪束の巻き上げ後に制限されず、毛髪束の巻き上げ前又は巻き上げ時でもよい。
扁平筒状体から構成された毛髪保持具においては、剤封入部の設けられた毛髪保持シートを内側にして巻き上げてもよい。
【図面の簡単な説明】
【００４８】
【図１】図１（ａ）は、第１実施形態の毛髪保持具の概略構成を示す正面図であり、図１（ｂ）は、図１（ａ）のＢ−Ｂ切断線に沿った断面図である。
【図２】図１（ａ）に示す毛髪保持具について、扁平筒状体の内側から剤封入部を視た部分拡大図である。
【図３】図３（ａ）、図３（ｂ）、図３（ｃ）及び図３（ｄ）は、図１に示す毛髪保持具の一使用態様について、毛髪束の巻回手順を順次示す斜視図である。
【図４】図４（ａ）は、第２実施形態の毛髪保持具の概略構成を示す正面図であり、図４（ｂ）は、図４（ａ）のＢ−Ｂ切断線に沿った断面図である。
【図５】図５は、図４（ａ）に示す毛髪保持具における封入部形成シートを示す斜視図である。
【符号の説明】
【００４９】
１  毛髪保持具
１Ａ      扁平筒状体
２        剤封入部
３、３Ａ、３Ｂ  毛髪保持シート
６        毛髪処理剤
７        剤封入袋体
７１      基材シート
７２      凹状フィルム
７３      剤封入凹部
７４      枠状平面部
７５      対辺
７６      膨出部
８        封入部形成シート
８１      平面部
８２      剤封入凹部
９        毛髪束
１１        側縁部
１２        空隙部
【図１】
2006187541.tif 000003
【図２】
2006187541.tif 000004
【図３】
2006187541.tif 000005
【図４】
2006187541.tif 000006
【図５】
2006187541.tif 000007